(57)【特許請求の範囲】
【請求項１】
前面側に所定の情報を表示する表示器を備え、卓上に斜めに起立させて使用する卓上装置の起立方法であって、
前記卓上装置の背面に、前記卓上装置の上下方向に対して垂直な方向に伸びる細長い溝を、前記卓上装置の上下方向に対して少なくとも１条設け、
前記溝は、前記溝内に復元力のあるのカード状物を挿入した時に、前記カード状物が上方向に湾曲して保持されるような形状に形成し、
前記カード状物を前記溝に挿入することにより、前記カード状物を前記卓上装置の背面から上方向に湾曲した状態で突出させてその復元力で前記溝に保持させ、
前記溝に保持させた前記カード状物をスタンドとして、前記卓上装置を卓上に斜めに起立させるようにしたことを特徴とする卓上装置の起立方法。
【請求項２】
前面側に所定の情報を表示する表示器を備え、卓上に斜めに起立させて使用される起立型の卓上装置において、
前記卓上装置の背面に、前記卓上装置の上下方向に対して垂直な方向に伸びる細長い溝を、前記卓上装置の上下方向に対して少なくとも１条設け、
前記溝は、前記溝内に復元力のあるカード状物を挿入した時に、前記カード状物が上下方向の何れかに湾曲し、前記カード状物の復元力で前記溝に保持されるような形状とし、
前記溝に保持させた前記カード状物をスタンドとして、前記卓上装置を卓上に斜めに起立させることができることを特徴とする起立型の卓上装置。
【請求項３】
請求項２に記載の起立型の卓上装置において、
前記溝を前記卓上装置の背面の上部側と下部側に２条設け、上部側の溝に前記カード状物を挿入した時には前記卓上装置の起立角度が小さくなるようにし、下部側の溝に前記カード状物を挿入した時には前記卓上装置の起立角度が大きくなるようにしたことを特徴とする起立型の卓上装置。
【請求項４】
請求項２に記載の起立型の卓上装置において、
前記溝をカード状物の厚さに合わせて少なくとも２種類設け、一方の溝の幅は０．５ｍｍ以上とし、他方の溝の幅は０．５ｍｍ未満としたことを特徴とする起立型の卓上装置。
【請求項５】
請求項２から４の何れか１項に記載の起立型の卓上装置において、
前記溝を直線状の溝とし、この溝の中央部には溝の一方の側壁から他方の側壁側に突出する突起を設け、前記溝の両端部には溝の前記他方の側壁から前記一方の側壁側に突出する突起をそれぞれ設け、これらの突起によって前記溝内に挿入されたカード状物が湾曲して保持されるようにしたことを特徴とする起立型の卓上装置。
【発明の詳細な説明】
【０００１】
【発明の属する技術分野】
本発明は卓上装置の起立方法及び起立型の卓上装置に関し、特に、前面側に所定の情報を表示する表示器があり、卓上に斜めに起立させて使用されることが多い卓上装置の起立方法、及び、その起立型の卓上装置の構造に関する。
【０００２】
【従来の技術】
従来、装置の前面側に所定の情報を表示する表示器が設けられており、卓上に斜めに起立させて使用する小型の卓上装置、例えば、電子式調律器、電子式メトロノーム、小型液晶テレビや、文字放送用ラジオでは、卓上で表示器が見やすい位置になるように装置本体の背面側にスタンドが設けられている場合がほとんどである。そして、このような卓上装置用のスタンドは、装置の背面側から起立可能に取り付けられた専用スタンドであることが多い。
【０００３】
卓上装置の背面に設けられる専用のスタンドは一般に、装置本体の背面に回転軸によって取り付けられており、使用しない時は装置本体の背面に設けられた凹部に収納しておき、使用時に引き出して使用するようになっている。
【０００４】
また、卓上装置の汎用スタンドとして公知のものに、装置の前面側から背面側にかけて貫通孔を設け、この貫通孔にペン等の棒状体を差し込んで装置のスタンドとして使用するものや、装置の背面にスリット（溝）を設け、そのスリットにコインを挟み込んで装置のスタンドとして使用するもの等がある。
【０００５】
【発明が解決しようとする課題】
しかしながら、回転軸を備えた収納式の専用スタンドを備えた卓上装置では、専用スタンドを装置本体とは別体で用意して装置に取付けねばならず、装置コストがかかると共に、専用スタンドの回転軸部分が破損し易く、破損すると代替えになるスタンドがなかなか入手できず、装置を起立させた状態で使用することができなくなるという問題点があった。また、装置に設けた貫通孔に棒状体を挿入して装置を起立させるものでは、棒状体の直径が太いものは使用できず、逆に、直径が細い棒状体は孔を貫通孔に挿入させても不安定であり、装置の起立位置が確立しないので、貫通孔の径に合った棒状部材を予め用意しておかなければならないという問題点があった。更に、装置の背面に設けられたスリットにコインを取り付けてスタンド代わりにするものでは、スリットの幅に合ったコインが必要であり、しかもコインが円形であるのでスタンドとして不安定であるという問題点があった。
【０００６】
そこで本発明は、どの家庭にも少なくとも１枚はあると思われる銀行カードやクレジットカードのようなプラスチック製のカード、或いは、これよりも薄いテレホンカード、バスカードや名刺等の薄いカードのように、身近で簡単に入手できる部材である矩形状のカード、或いは、紙片を使用することにより、小型の卓上装置を容易に起立状態にすることができる卓上装置の起立方法、及び起立型の卓上装置を提供することを目的としている。
【０００７】
【課題を解決するための手段】
前記目的を達成する本発明の卓上装置の起立方法は、前面側に所定の情報を表示する表示器を備え、卓上に斜めに起立させて使用する卓上装置の起立方法であって、卓上装置の背面に、卓上装置の上下方向に対して垂直な方向に伸びる細長い溝を、卓上装置の上下方向に対して少なくとも１条設け、この溝は、溝内に復元力のあるカード状物を挿入した時に、カード状物が上方向に湾曲して保持されるような形状に形成し、カード状物を溝に挿入することにより、カード状物を卓上装置の背面から上方向に湾曲した状態で突出させてその復元力で溝に保持させ、溝に保持させたカード状物をスタンドとして、卓上装置を卓上に斜めに起立させるようにしたことを特徴としている。
【０００８】
また、前記目的を達成する本発明の起立方の卓上装置は、前面側に所定の情報を表示する表示器を備え、卓上に斜めに起立させて使用される起立型の卓上装置において、卓上装置の背面に、卓上装置の上下方向に対して垂直な方向に伸びる細長い溝を、卓上装置の上下方向に対して少なくとも１条設け、この溝は、溝内に復元力のあるカード状物を挿入した時に、カード状物が上下方向の何れかに湾曲し、カード状物の復元力で溝に保持されるような形状とし、溝に保持させたカード状物をスタンドとして、卓上装置を卓上に斜めに起立させることができることを特徴としている
【０００９】
この場合、溝を卓上装置の背面の上部側と下部側に２条設け、上部側の溝にカード状物を挿入した時には卓上装置の起立角度が小さくなるようにし、下部側の溝にカード状物を挿入した時には前記卓上装置の起立角度が大きくなるようにすることができる。
【００１０】
また、溝をカード状物の厚さに合わせて少なくとも２種類設け、一方の溝の幅は０．５ｍｍ以上とし、他方の溝の幅は０．５ｍｍ未満とすることができる。
【００１１】
更に、溝は溝自体を湾曲させても良いが、溝を湾曲状とせずに直線状にし、この溝の中央部には溝の一方の側壁から他方の側壁側に突出する突起を設け、溝の両端部には溝の他方の側壁から一方の側壁側に突出する突起をそれぞれ設け、これらの突起によって溝内に挿入されたカード状物が湾曲して保持されるようにしても良い。
【００１２】
更にまた、カード状物の溝への挿入の容易性を考慮して、溝の少なくとも一方の端部を卓上装置の側面まで延長して側面上に開口させたり、卓上装置の側面まで延長させた溝の端部近傍の幅を、側面上の開口部に向けて次第に広げてもよいものである。
【００１３】
なお、溝は、卓上装置の背面を窪ませて形成することができるが、窪ませられない場合は、溝を卓上装置の背面に突設して設けたリブによって囲ませて形成することができる。
【００１４】
本発明によれば、卓上装置に対して手近にあるカード部材や紙片を折り畳んでシート状にしたものを僅かに曲げて取り付けることにより、卓上装置を容易に起立させて使用することができる。また、カード部材や折り畳んだ紙片を僅かに曲げて溝に取り付けることにより、薄いカードや折り畳んだ紙片でもある程度の強度を持たせることができ、スタンドとしての強度を保たせることができる。
【００１５】
【発明の実施の形態】
以下添付図面を用いて本発明の実施形態を具体的な実施例に基づいて詳細に説明する。
【００１６】
図１(a) は本発明の卓上装置の一実施例である調律器１０を正面から見た図であり、(b) は(a) の調律器１０を側面から見た図である。この実施例における調律器１０は横に長い横型である。調律器１０の前面側には調律結果を示す表示器１があり、この表示器１の左側に基準音のオンオフスイッチ２、半音低い音での調律を行う半音スイッチ３、ギターとベースの切換スイッチ４等の機能スイッチ５があり、その左下に電源スイッチ６がある。また、表示器１の下には音が低いか、同調したか、或いは高いかを示す発光ダイオード（ＬＥＤ）７が設けられている。また、電源スイッチ６の左側には基準音を出力するスピーカ８があり、表示器１の右上には調律する音を拾うマイクロホン９が設けられている。この調律器１０の大きさは、幅１００（ｍｍ）、高さ６０（ｍｍ）、奥行１５（ｍｍ）程度である。
【００１７】
本発明はこの調律器１０のような小型の卓上装置の背面の構造を工夫して、卓上装置を起立させるようにしたものである。よって、以後はこの調律器１０を例にとって、小型の卓上装置の背面構造について説明する。
【００１８】
図１(c) は(a) の調律器１０の背面構造の第１の実施例を示すものである。第１の実施例では、調律器１０の上部に近い背面に、調律器１０の上下方向に対して垂直な方向に、直線状の溝（スリット）１１を設けている。この直線状の溝１１の寸法は、長さ９０（ｍｍ）、溝幅２．５（ｍｍ）、深さ３（ｍｍ）程度であり、この実施例では溝１１は(d) に示すように調律器１０の背面から調律器１０の本体内に窪んだ状態で設けられている。そして、直線状の溝１１の中央部には調律器１０の下方から上方に突出する上に凸の突起１２を設けており、直線状の溝１１の両端部の近傍には、逆に調律器１０の上方から下方に突出する下に凸の突起１３をそれぞれ設けている。この寸法の溝１１には、銀行のカード、クレジットカードや銀行カードのような、厚さが１（ｍｍ）弱のプラスチック製のカードを挿入して取り付けることができる。
【００１９】
図２(a) は図１(c) に示した調律器１０の背面に設けられた溝１１にプラスチック製のカード２０を挿入する様子を示すものである。溝１１に設けられた上に凸の突起１２と下に凸の突起１３を避けながらカード２０を溝１１内に挿入すると、図２(b) のようになる。即ち、カード２０は、上に凸の突起１２と下に凸の突起１３によって変形して、上方向に僅かに湾曲した状態で溝１１内に差し込まれ、調律器１０の背面に対してほぼ垂直方向に装着される。この状態では、僅かに湾曲したカード２０は、元に戻ろうとする復元力により、溝１１内に強固に固定されている。よって、このカード２０は調律器１０のスタンドとして十分な強度を保持することになり、図２(c) に示すように、調律器１０はこのプラスチック製のカード２０をスタンドとして設置面１４に対して斜めに起立することができる。
【００２０】
図３(a) は図１(a) に示した調律器１０の背面構造の第２の実施例を示すものである。第２の実施例では、調律器１０の上部に近い背面に、調律器１０の上方側が凸になるように僅かに湾曲させた溝（スリット）１５を設けている。この湾曲状の溝１５の寸法は、長さ９０（ｍｍ）、溝幅１（ｍｍ）、深さ３（ｍｍ）程度であり、この実施例では溝１５は(b) に示すように調律器１０の背面から調律器１０の本体内に窪んだ状態で設けられている。この寸法の溝１５には、銀行のカードやクレジットカードのような、厚さが１（ｍｍ）弱のプラスチック製のカードを挿入して取り付けることができる。
【００２１】
図４(a) は図３(a) に示した調律器１０の背面に設けられた溝１５にプラスチック製のカード２０を挿入する様子を示すものである。挿入時にはカード２０を溝１５の形状に合わせて上方側に僅かに湾曲させて溝１５内に挿入すると、図４(b) のようになる。即ち、カード２０は、溝１５の湾曲形状に沿って変形して、上方向に僅かに湾曲した状態で溝１５内に差し込まれ、調律器１０の背面に対してほぼ垂直方向に装着される。この状態では、僅かに湾曲したカード２０は、元に戻ろうとする復元力により、溝１５内に強固に固定されている。よって、このカード２０は調律器１０のスタンドとして十分な強度を保持することになり、図２(c) に示すように、調律器１０はこのプラスチック製のカード２０をスタンドとして設置面１４に対して斜めに起立することができる。
【００２２】
図５(a) は図１(a) に示した調律器１０の背面構造の第３の実施例を示すものである。第３の実施例は、前述の第１の実施例と第２の実施例の構造を合わせ持たせたものである。第３の実施例では、調律器１０の上部に近い背面に、調律器１０の上方側が凸になるように僅かに湾曲させた溝１６を設けている。この湾曲状の溝１６の寸法は、長さ９０（ｍｍ）、溝幅２．５（ｍｍ）、深さ３（ｍｍ）程度であり、この実施例でも溝１６は前述の実施例と同様に調律器１０の本体内に窪んだ状態で設けられている。そして、湾曲状の溝１６の中央部には調律器１０の下方から上方に突出する上に凸の突起１２を設けており、湾曲状の溝１６の両端部の近傍には、逆に調律器１０の上方から下方に突出する下に凸の突起１３をそれぞれ設けている。
【００２３】
この寸法の溝１６には、図５(a) に二点鎖線で示すように、前述のプラスチック製のカード２０を挿入して取り付けることができるが、溝１６の湾曲形状と上に凸の突起１２と下に凸の突起１３により、溝１６内に挿入したカード２０の曲率は、第１、第２の実施例に於けるカード２０の曲率よりも大きくなっている。
よって、第３の実施例のカード２０は一層強固に溝１６内に装着されることになる。溝１６に装着したカード２０によって調律器２０が設置面に対して起立する状態は、図２(c) に示した状態とほぼ同じであるので、ここではその図示及び説明を省略する。
【００２４】
図５(b) は図１(a) に示した調律器１０の背面構造の第４の実施例を示すものである。第４の実施例では、第２の実施例と同様に調律器１０の上部に近い背面に、調律器１０の上方側が凸になるように僅かに湾曲させた溝１７を設けている。溝１７の構成はその端部の構成を除いて前述の溝１５と同様である。第４の実施例の溝１７が第２の実施例の溝１５と異なる点は、溝１７の一方の端部を、調律器１０の一方の側面（調律器１０を正面から見た時の左側の側面）１０Ｌまで延長して延長部１８を設け、この延長部１８を側面１０Ｌ上に開口させた点のみである。
【００２５】
また、図５(c) は図１(a) に示した調律器１０の背面構造の第４の実施例の変形例を示すものである。第４の実施例の変形例でも、第２の実施例と同様に調律器１０の上部に近い背面に、調律器１０の上方側が凸になるように僅かに湾曲させた溝１７を設けている。第４の実施例の変形例が第４の実施例と異なる点は、第４の実施例が溝１７の一方の端部に調律器１０の一方の側面１０Ｌまで達する延長部１８を設けているのに対して、第４の実施例の変形例ではこの延長部１８を、調律器１０の一方の側面１０Ｌに近づくにつれて溝幅を拡大させたテーバ状部１９とした点のみである。
【００２６】
第４の実施例、及び第４の実施例の変形例のように、調律器１０の上部に近い背面に設けた溝１７を、調律器１０の一方の側面１０Ｌまで延長すると、プラスチック製のカード２０は、調律器１０の一方の側面１０Ｌ側から延長部１８又はテーパ状部１９に挿入し、スライドさせながら溝１７に装着できる。この結果、カード２０を予め曲げた状態で溝１７に挿入する必要がなくなり、カード２０の溝１７への挿入が容易になる。また、延長部１８の代わりにテーパ状部１９を設けておけば、カード２０がこのテーパ状部１９にガイドされて溝１７に導かれるので、カード２０の溝１７への装着が一層容易になる。
【００２７】
第４の実施例、及び第４の実施例の変形例では、溝１７の端部の一方を調律器１０の一方の側面１０Ｌまで延長しているが、溝１７の端部はその両方を調律器１０の両方の側面１０Ｌ，１０Ｒまで延長しても良い。
【００２８】
なお、図５(b) ，(c) に示したように、溝１７を調律器１０の一方の側面１０Ｌまで延長して開口し、カード２０をスライドさせて溝１７に装着できるようにしておけば、カード類の手持ちがない場合でも、付近にあるＡ４サイズやＢ５サイズ等のコピー用紙等の紙片を折り畳んでカード状にしたものや、ボール紙をカードサイズに切ったものを、溝１７に挿入することにより、カード２０の代用をさせて調律器１０を起立させることも可能である。
【００２９】
図６は図１(a) に示した調律器１０の背面構造の第５の実施例を示すものである。第５の実施例では、第２の実施例と同様に調律器１０の上部に近い背面に、調律器１０の上方側が凸になるように僅かに湾曲させた溝１５を設けると共に、調律器１０の上部に近い背面に同じく調律器１０の上方側が凸になるように僅かに湾曲させた２つ目の溝２５を設けている。２つ目の溝２５の寸法は溝１５と同じであり、長さ９０（ｍｍ）、溝幅１（ｍｍ）、深さ３（ｍｍ）程度である。
【００３０】
第５の実施例では、プラスチック製のカード２０を溝１５に装着すれば、図２(c) に示したように、設置面１４に対して５０度程度の角度で斜めに調律器１０を起立させることができ、カード２０を溝２５に装着すれば、図６(b) に示すように、設置面１４に対して７５度程度の直立に近い角度で斜めに調律器１０を起立させることができる。このように、第５の実施例では、使用状況に応じて調律器１０を起立させる角度を変えることができる。なお、溝１５と溝２５の間にもう１条の溝を設ければ、調律器１０の起立角度を更に細かく調節できる。
【００３１】
図７(a) は図１(a) に示した調律器１０の背面構造の第６の実施例を示すものである。第６の実施例では、第２の実施例と同様に調律器１０の上部に近い背面に、調律器１０の上方側が凸になるように僅かに湾曲させた溝１５を設けると共に、この溝１５の下方に、同じく調律器１０の上方側が凸になり、かつ湾曲度を増大させた２つ目の溝３５を、調律器１０の本体を窪ませて設けている。溝１５の寸法は前述の通りであるが、溝３５の寸法は、長さ９０（ｍｍ）、溝幅０．３（ｍｍ）、深さ３（ｍｍ）程度と、溝幅を非常に狭くしてある。この寸法の溝３５には、テレホンカード、バスカード、名刺のような、厚さが０．２（ｍｍ）弱のプラスチック製、或いは名刺のような紙製のカードを湾曲させた状態で挿入して取り付けることができる。このように、本発明では、例えば、調律器１０の背面に、０．５ｍｍ未満の溝幅と、０．５ｍｍ以上の溝幅の２種類の溝を設けることにより、カード厚の異なるカードに対応させることができる。
【００３２】
なお、第６の実施例の溝１５と溝３５は、図５(b) ，(c) で説明した実施例と同様に、調律器１０の側面まで延長して側面上に開口させたり、開口部の近傍をテーパ状部としたりすることができる。
【００３３】
なお、以上説明した第１から第６の実施例において、直線状の溝１１の上に凸の突起１２と下に凸の突起１３の位置を反対にしたり、溝１５の湾曲方向を上下逆にしたりして、プラスチック製のカード２０を下側に湾曲させて取り付けることも可能である。また、以上説明した第１から第６の実施例では、溝は全て調律器１０の本体を窪ませて形成していた。このように、溝を調律器１０の本体を窪ませて形成すると、調律器１０の本体内の回路部品の収納スペースが溝によって狭められる。そこで、調律器１０の本体内の回路部品の収納スペースを犠牲にしないように、調律器１０の背面にリブを形成してこのリブによって溝を形成するようにすることもできる。更に、本発明では、予め幅の広い溝を形成しておき、この幅の広い溝より僅かに幅の狭い部材を後からこの溝に面一にはめ込むことにより、両者の隙間によって湾曲状の溝を形成することも可能である。
【００３４】
ところで、以上説明した実施例では、卓上装置である調律器１０が横長に形成されており、カードや紙片の長手方向の長さの方が調律器１０の幅よりも短かった。一方、卓上装置には縦長のものも存在する。そこで、例えば、図８(a) に示すような縦長の形態の調律器５０が存在した場合を考える。なお、図８(a) の調律器５０に付した符号で、図１(a) の調律器１０の符号と同じものは同じ部材を示すので、ここではその説明を省略する。このような縦長の調律器５０の幅Ｗは、一般にカードや紙片の長手方向の長さよりも短い。
【００３５】
このような場合は、以上説明した第１から第６の実施例の溝を、溝の中心を調律器５０の中心として、調律器５０の幅一杯に設ければ良い。この場合は溝の両端部は調律器５０の左右の側面５０Ｌ，５０Ｒにおいて開口することになる。もちろん、開口部にテーパ状部を形成しても良い。図８(b) は、調律器５０の下部の幅一杯に、図３(a) で説明した第２の実施例の溝１５と同様の短い溝１５Ｓを設けた実施例を示すものである。図８(c) は縦型の調律器５０の溝１５Ｓにカード２０を装着して調律器５０を起立させた状態を示すものである。カード２０の両端部は調律器５０の側面５０Ｌ，５０Ｒからはみ出しているが、調律器５０はカード５０によって起立させることができる。
【００３６】
なお、以上の実施例では、小型の卓上装置の例として調律器を説明したが、小型卓上装置の種類は今後出現するものも含めて特に限定されるものではない。
【００３７】
また、以上説明した第１から第６の実施例の溝は、必要に応じてこれらを組み合わせて卓上装置の背面に複数条設けることができる。また、複数個の突起を小型の卓上装置の背面に突設することにより、これらの突起にリブの代わりをさせることも可能である。
【００３８】
以上、本発明を特にその好ましい実施例に基づいて詳細に説明し、請求項に本発明を記載したが、本発明は以下の形態も可能であるのでこれを付記する。
【００３９】
(1) 起立型の卓上装置において、溝自体を湾曲させて設けた形態。
【００４０】
(2) 溝の少なくとも一方の端部を、卓上装置の側面まで延長して側面上に開口させた形態。
【００４１】
(3) 卓上装置の側面まで延長させた溝の端部近傍の幅を、側面上の開口部に向けて次第に広げた形態。
【００４２】
(4) 卓上装置の背面に突設したリブによって囲ませて溝を設けた形態。
【００４３】
【発明の効果】
以上説明したように、本発明によれば、卓上装置の背面に、手近にあるカード部材や紙片を取り付けることにより、卓上装置を容易に起立させて使用することができる。また、カード部材や紙片を僅かに曲げて溝に取り付けることにより、薄いカードや紙片でもある程度の強度を持たせることができ、卓上装置を起立させることができるという効果がある。
【図面の簡単な説明】
【図１】(a) は本発明の卓上装置の一実施例の調律器を示す正面図、(b) は(a) の調律器の側面図、(c) は(a) の調律器の背面側の構成の第１の実施例を示す背面図、(d) は(c) のＡ−Ａ線における断面図である。
【図２】(a) は図１(c) に示した調律器の背面に設けられた溝にプラスチック製のカードを挿入する様子を示す斜視図、(b) は図１(c) に示した調律器の背面に設けられた溝にプラスチック製のカードが装着された状態を示す調律器の背面図、(c) は(b) のように調律器の溝にプラスチック製のカードが装着された状態で調律器が斜めに起立する状態を示す側面図である。
【図３】(a) は図１(a) の調律器の背面側の構成の第２の実施例を示す背面図、(b) は(a) のＢ−Ｂ線における断面図である。
【図４】(a) は図３(a) に示した調律器の背面に設けられた溝にプラスチック製のカードを挿入する様子を示す斜視図、(b) は(a) に示した溝にプラスチック製のカードが装着された状態を示す調律器の背面図である。
【図５】(a) は図１(a) の調律器の背面側の構成の第３の実施例を示す調律器の背面図、(b) は図１(a) の調律器の背面側の構成の第４の実施例を示す調律器の背面図、(c) は(b) の変形例を示す部分背面図である。
【図６】(a) は図１(a) の調律器の背面側の構成の第５の実施例を示す調律器の背面図、(b) は(a) の溝の一方にプラスチック製のカードを装着して調律器を起立させた状態を示す側面図である。
【図７】(a) は図１(a) の調律器の背面側の構成の第６の実施例を示す調律器の斜視図、(b) は(a) の幅の細い方の溝に薄いカードを装着して調律器を起立させた状態を示す側面図である。
【図８】(a) は本発明の卓上装置の他の実施例としての縦型の調律器を示す正面図、(b) は(a) の調律器の背面図、(c) は(a) の調律器の背面側に設けられた溝にプラスチック製のカードを装着して調律器を起立させた状態を示す斜視図である。
【符号の説明】
１…表示器
６…電源スイッチ
８…スピーカ
９…マイクロホン
１０…横型の調律器
１１…直線状の溝
１２…上に凸の突起
１３…下に凸の突起
１４…設置面
１５，１６，１７…湾曲溝
１８…延長部
１９…テーパ状部
２０…プラスチック製のカード
２５，３５…溝
５０…縦型の調律器
【図１】
0004587609.tif 000002
【図２】
0004587609.tif 000003
【図３】
0004587609.tif 000004
【図４】
0004587609.tif 000005
【図５】
0004587609.tif 000006
【図６】
0004587609.tif 000007
【図７】
0004587609.tif 000008
【図８】
0004587609.tif 000009